(57)【要約】【課題】  安価な構造でプラグの抜き差しに対して補強すること。【解決手段】  プリント配線基板からなるサブ基板５の下部５ａをプリント配線基板からなるメイン基板６のスリットに嵌入させて該メイン基板６に半田付け８することより、該サブ基板５がメイン基板６上に起立状態で固定され、そのサブ基板５に固定されてメイン基板６上に載置されたジャック本体４Ａと該ジャック本体４Ａの端面４ａに一体突設されたジャック軸４Ｂとからなり、該ジャック軸４Ｂにプラグ９を接続するようにしたＲＣＡジャック４を補強するためのジャック補強装置であって、前記サブ基板５の両側縁に一対の凹溝１１が形成されると共に、該各凹溝１１に対向してメイン基板６に一対の係合孔１２が貫設され、その互いに対向する凹溝１１と係合孔１２とに係合してサブ基板５の両側縁をメイン基板６に連結する一対の連結板１３が設けられている。【選択図】        図１
2008282563.tif 000002
【特許請求の範囲】
【請求項１】
プリント配線基板からなるサブ基板の下部をプリント配線基板からなるメイン基板のス
リットに嵌入させて該メイン基板に半田付けすることより、該サブ基板がメイン基板上に
起立状態で固定され、そのサブ基板に固定されてメイン基板上に載置されたジャック本体
と該ジャック本体の端面に一体突設されたジャック軸とからなり、該ジャック軸にプラグ
を接続するようにしたジャックを補強するためのジャック補強装置であって、前記サブ基
板の両側縁に一対の凹溝が形成されると共に、該各凹溝に対向してメイン基板に一対の係
合孔が貫設され、その互いに対向する凹溝と係合孔とに係合してサブ基板の両側縁をメイ
ン基板に連結する一対の連結板が設けられていることを特徴とするジャック補強装置。
【請求項２】
前記各連結板が、メイン基板とサブ基板との間に配置される連結板本体と、該連結板本
体から２方向に延びるＴ字部及びＩ字部とを有し、前記各係合孔のサブ基板の長手方向に
沿う縦幅が各連結板の厚さよりも大きく設定されており、各連結板のＩ字部を各係合孔に
嵌入させ、該各連結板をジャックに向けてスライドさせることにより、その各連結板のＴ
字部を凹溝に嵌入させ、各Ｉ字部をメイン基板に半田付けしたことを特徴とする請求項１
に記載のジャック補強装置。
【請求項３】
前記Ｉ字部の両側縁先端から側方に延びる一対のフック部が一体突設され、前記各係合
孔が、Ｉ字部の幅と同一またはわずかに大きい横幅の縦孔部と、該縦孔部の外側端縁に一
体形成されて両フック部間の幅と同一またはわずかに大きい横幅の横孔部とにより、平面
視略Ｔ字状に形成されており、各連結板の両フック部を横孔部に嵌入させ、該各連結板を
ジャックに向けてスライドさせてＩ字部を縦孔部に嵌入させることにより、その各連結板
のＴ字部を凹溝に嵌入させると共に、両フック部をメイン基板の裏面に係合させ、各Ｉ字
部をメイン基板に半田付けしたことを特徴とする請求項２に記載のジャック補強装置。
【請求項４】
薄型表示装置内においてプリント配線基板からなるサブ基板の下部をプリント配線基板
からなるメイン基板のスリットに嵌入させて該メイン基板に半田付けすることより、該サ
ブ基板がメイン基板上に起立状態で固定され、そのサブ基板に固定されてメイン基板上に
載置されたジャック本体と該ジャック本体の端面に一体突設されたジャック軸とからなり
、該ジャック軸にプラグを接続するようにしたジャックを補強するためのジャック補強装
置であって、前記サブ基板の両側縁に一対の凹溝が形成されると共に、該各凹溝に対向し
てメイン基板に一対の係合孔が貫設され、メイン基板とサブ基板との間に配置される連結
板本体と、該連結板本体から２方向に延びるＴ字部及びＩ字部とを有する一対の連結板が
設けられ、該各連結板がメイン基板から切り離される捨て基板により形成され、前記各係
合孔のサブ基板の長手方向に沿う縦幅が各連結板の厚さよりも大きく設定されており、各
連結板のＩ字部を各係合孔に嵌入させ、該各連結板をジャックに向けてスライドさせるこ
とにより、その各連結板のＴ字部を凹溝に嵌入させ、各Ｉ字部をメイン基板に半田付けし
たことを特徴とするジャック補強装置。
【発明の詳細な説明】
【技術分野】
【０００１】
本発明は、例えば液晶テレビなどの薄型表示装置に設けたＲＣＡジャックなどのジャッ
ク補強装置に関し、特に、安価な構造でプラグの抜き差しに対して補強したものである。
【背景技術】
【０００２】
図７は液晶テレビなどの薄型表示装置１の裏面側斜視図を示すものであって、その表面
に表示面２が形成され、リアカバー３にＲＣＡジャック４が配置されている。
【０００３】
図８及び図９はＲＣＡジャック４の支持構造を示すものであって、図８（ａ）は同一部
切欠き側面図、図８（ｂ）は同平面図、図８（ｃ）は同正面図、図９は同分解斜視図であ
り、薄型表示装置１内においてプリント配線基板からなるサブ基板５の下部５ａをプリン
ト配線基板からなるメイン基板６のスリット７に嵌入させて該メイン基板６に半田付け８
することより、該サブ基板５がメイン基板６上に起立状態で固定され、ＲＣＡジャック４
が、ジャック本体４Ａと該ジャック本体４Ａの端面４ａに一体突設されたジャック軸４Ｂ
とからなり、ジャック本体４Ａの背面に突設した端子４ｂをサブ基板５に半田付け８する
ことにより、該ジャック本体４Ａがサブ基板５に固定されてメイン基板６上に載置されて
おり、ジャック軸４Ｂにプラグ９を接続する。
【０００４】
上記構成によれば、図８（ａ）及び（ｂ）に示すように、ジャック軸４Ｂに対してプラ
グ９を抜き差したときにサブ基板５に過大な引張力Ｆ１と押込力Ｆ２とがかかり、それが
繰り返されることにより、サブ基板５が前後に揺れて傾き〔図８（ａ）仮想線参照〕、ジ
ャック本体４Ａの固定が弛んだりサブ基板５の下部５ａを固定する半田付け８が剥離され
て断線するおそれがある。
【０００５】
従来、上記難点を解消する技術として特許文献１に記載したものがある。これは、メイ
ン基板６に金具をビス止めしたものであって、その金具によりサブ基板５を介してジャッ
ク本体４Ａの背面を支持することが考えられる。
【特許文献１】特開２００３−２８３０６０号公報
【発明の開示】
【発明が解決しようとする課題】
【０００６】
上記従来の構成によると、金具によりサブ基板５を背面から支持しているだけであるか
ら、プラグ９の差し込みにより生じた押込力Ｆ２に対してサブ基板５が後方に傾かないよ
うに補強する機能を有しているが、そのプラグ９の引き抜きにより生じた引張力Ｆ１に対
してサブ基板５が前方に傾かないように補強する機能はない。従って、プラグ９の抜き差
しを繰り返すことにより、そのプラグ９の引き抜きによる引張力Ｆ１でサブ基板５が前後
に揺れて傾き、ジャック本体４Ａの固定が弛んだり半田付け８が剥離されて断線するおそ
れがある。
【０００７】
本発明は、上記従来の欠点に鑑み、安価な構造でプラグの抜き差しに対して補強したジ
ャック補強装置を提供することを目的としている。
【課題を解決するための手段】
【０００８】
上記目的を達成するため、請求項１に記載の発明は、プリント配線基板からなるサブ基
板の下部をプリント配線基板からなるメイン基板のスリットに嵌入させて該メイン基板に
半田付けすることより、該サブ基板がメイン基板上に起立状態で固定され、そのサブ基板
に固定されてメイン基板上に載置されたジャック本体と該ジャック本体の端面に一体突設
されたジャック軸とからなり、該ジャック軸にプラグを接続するようにしたジャックを補
強するためのジャック補強装置であって、前記サブ基板の両側縁に一対の凹溝が形成され
ると共に、該各凹溝に対向してメイン基板に一対の係合孔が貫設され、その互いに対向す
る凹溝と係合孔とに係合してサブ基板の両側縁をメイン基板に連結する一対の連結板が設
けられていることを特徴としている。
【０００９】
請求項２に記載の発明は、請求項１に記載の発明において、前記各連結板が、メイン基
板とサブ基板との間に配置される連結板本体と、該連結板本体から２方向に延びるＴ字部
及びＩ字部とを有し、前記各係合孔のサブ基板の長手方向に沿う縦幅が各連結板の厚さよ
りも大きく設定されており、各連結板のＩ字部を各係合孔に嵌入させ、該各連結板をジャ
ックに向けてスライドさせることにより、その各連結板のＴ字部を凹溝に嵌入させ、各Ｉ
字部をメイン基板に半田付けしたことを特徴としている。
【００１０】
請求項３に記載の発明は、請求項２に記載の発明において、前記Ｉ字部の両側縁先端か
ら側方に延びる一対のフック部が一体突設され、前記各係合孔が、Ｉ字部の幅と同一また
はわずかに大きい横幅の縦孔部と、該縦孔部の外側端縁に一体形成されて両フック部間の
幅と同一またはわずかに大きい横幅の横孔部とにより、平面視略Ｔ字状に形成されており
、各連結板の両フック部を横孔部に嵌入させ、該各連結板をジャックに向けてスライドさ
せてＩ字部を縦孔部に嵌入させることにより、その各連結板のＴ字部を凹溝に嵌入させる
と共に、両フック部をメイン基板の裏面に係合させ、各Ｉ字部をメイン基板に半田付けし
たことを特徴としている。
【００１１】
請求項４に記載の発明は、薄型表示装置内においてプリント配線基板からなるサブ基板
の下部をプリント配線基板からなるメイン基板のスリットに嵌入させて該メイン基板に半
田付けすることより、該サブ基板がメイン基板上に起立状態で固定され、そのサブ基板に
固定されてメイン基板上に載置されたジャック本体と該ジャック本体の端面に一体突設さ
れたジャック軸とからなり、該ジャック軸にプラグを接続するようにしたジャックを補強
するためのジャック補強装置であって、前記サブ基板の両側縁に一対の凹溝が形成される
と共に、該各凹溝に対向してメイン基板に一対の係合孔が貫設され、メイン基板とサブ基
板との間に配置される連結板本体と、該連結板本体から２方向に延びるＴ字部及びＩ字部
とを有する一対の連結板が設けられ、該各連結板がメイン基板から切り離される捨て基板
により形成され、前記各係合孔のサブ基板の長手方向に沿う縦幅が各連結板の厚さよりも
大きく設定されており、各連結板のＩ字部を各係合孔に嵌入させ、該各連結板をジャック
に向けてスライドさせることにより、その各連結板のＴ字部を凹溝に嵌入させ、各Ｉ字部
をメイン基板に半田付けしたことを特徴としている。
【発明の効果】
【００１２】
請求項１に記載の発明によれば、ジャック本体を固定したサブ基板の各凹溝とメイン基
板の各係合孔とに一対の連結板が係合されており、その両連結板によりプラグの抜き差し
により生じた引張力及び押込力でサブ基板が前後に傾かないように補強しているので、従
来のようにプラグの抜き差しによりサブ基板が傾いてジャック本体の固定が弛んだり半田
付けが剥離されて断線することがなく、ジャック本体をサブ基板に長期にわたって確実に
固定することができる。
【００１３】
請求項２に記載の発明によれば、各連結板のＩ字部をメイン基板の各係合孔に嵌入させ
、該各連結板をジャックに向けてスライドさせるだけで、その各連結板のＴ字部をサブ基
板の凹溝に嵌入させて、サブ基板を補強することができ、これに加えて、各Ｉ字部をメイ
ン基板に半田付けすることにより、サブ基板を一層強固に補強することができる。
【００１４】
請求項３に記載の発明によれば、各連結板のＩ字部に一体突設した両フック部を各係合
孔の横孔部に嵌入させ、該各連結板をジャックに向けてスライドさせるだけで、両フック
部をメイン基板の裏面に係合させることができ、これによって、プラグの抜き差しにより
生じた引張力及び押込力でサブ基板が前後に傾かないように確実に補強することができ、
これに加えて、各Ｉ字部をメイン基板に半田付けすることにより、サブ基板を一層強固に
補強することができる。
【００１５】
請求項４に記載の発明は、第１の実施の形態（図１〜図３参照）に対応するものであっ
て、これによれば、各連結板のＩ字部をメイン基板の各係合孔に嵌入させ、該各連結板を
ＲＣＡジャックに向けてスライドさせるだけで、その各連結板のＴ字部をサブ基板の凹溝
に嵌入させて、サブ基板を補強することができ、これに加えて、各Ｉ字部をメイン基板に
半田付けすることにより、サブ基板を一層強固に補強することができる。
【００１６】
従って、プラグの抜き差しによって生じた引張力及び押込力で従来のようにサブ基板が
傾いてジャック本体の固定が弛んだりサブ基板の下部の半田付けが剥離されて断線するこ
とがなく、ジャック本体をサブ基板に長期にわたって確実に固定することができる。
【００１７】
また、連結板がメイン基板から切り離される捨て基板により形成されているから、構造
簡単で製作費が安くつく。
【００１８】
要するに、ＲＣＡジャックを強固に補強した使い勝手の良い液晶テレビなどの薄型表示
装置を提供することができる。
【発明を実施するための最良の形態】
【００１９】
図１〜図３は本発明の第１の実施の形態であるジャック補強装置を示すものであって、
これは液晶テレビなどの薄型表示装置１に設けたＲＣＡジャック４を補強するためのもの
であり（図７参照）、図１（ａ）は同一部切欠き側面図、図１（ｂ）は同平面図、図１（
ｃ）は同正面図、図２は同斜視図、図３は同分解斜視図である。
【００２０】
図１〜図３に示すように、サブ基板５の両側縁に一対の凹溝１１が形成されると共に、
該各凹溝１１に対向してメイン基板６に一対の係合孔１２が貫設され、その互いに対向す
る各凹溝１１と係合孔１２とに係合する一対の一対の連結板１３が設けられている。上記
構成以外の構成は図７及び図８に示す構成とほぼ同じであるから、同一部分に同一符号を
付してその説明を省略する。
【００２１】
図１〜図３に示すように、前記連結板１３は、背面１３ａをサブ基板５に当接させ下面
１３ｂをメイン基板６に当接させた略三角形の連結板本体１３Ａと、該連結板本体１３Ａ
の背面１３ａの上部から後方に延びるＴ字部１３Ｂと、その連結板本体１３Ａの下面１３
ｂの前部から下方に延びるＩ字部１３Ｃとから形成されている。
【００２２】
前記Ｔ字部１３Ｂの根元部１３ｃの幅ｔ１が凹溝１１の幅ｋ１と同一またはわずかに小
さく設定され（ｔ１≦ｋ１）、該Ｔ字部１３Ｂの頭部１３ｄと連結板本体１３Ａとの間の
隙間１４の幅ｔ２がサブ基板５の厚さｋ２と同一またはわずかに大きく設定されている（
ｔ２≧ｋ２）。
【００２３】
前記Ｉ字部１３Ｃの幅ｔ３が係合孔１２の横幅ｄ２と同一またはわずかに大きく設定さ
れ（ｔ３≦ｄ２）、各係合孔１２のサブ基板５の長手方向に沿う縦幅ｄ１が各連結板１３
の厚さｔ４よりも大きく設定され（ｄ１≧ｔ４）、この実施の形態では、各係合孔１２の
縦幅ｄ１が各連結板１３の厚さｔ４の３倍に設定されている。
【００２４】
組立手順を説明すると、図１（ｂ）及び（ｃ）に示すように、各連結板１３のＩ字部１
３Ｃを各係合孔１２に嵌入させ、該各連結板１３をＲＣＡジャック４に向けてスライドさ
せることにより、その各連結板１３のＴ字部１３Ｂを凹溝１１に嵌入させ、これにより、
図１（ａ）及び（ｂ）に実線で示すように、連結板本体１３ＡとＴ字部１３Ｂとでサブ基
板５の側縁部が挟まれ、そのサブ基板５に連結板１３が一体的に連結される。続いて、各
連結板１３のＩ字部１３Ｃをメイン基板６に半田付け８することにより、そのメイン基板
６に連結板１３が一体的に連結される。
【００２５】
図１（ａ）及び（ｂ）に仮想線で示すように、プラグ９をジャック軸４Ｂに差し込むと
、それにより発生する押込力Ｆ２によりサブ基板５が後方に押されるが、このとき、各連
結板１３のＴ字部１３Ｂとサブ基板５とが一体的に連結され、該各連結板１３のＩ字部１
３Ｃが係合孔１２の内側縁に圧接され、これに加えて、Ｉ字部１３Ｃがメイン基板６に半
田付け８されているから、従来のようにサブ基板５が後方に傾くことが無い。
【００２６】
図１（ａ）及び（ｂ）に実線で示すように、ジャック４をジャック軸４Ｂから抜き出す
と、それにより発生する引張力Ｆ１によりサブ基板５が前方に引っ張られるが、このとき
、サブ基板５とメイン基板６との間に連結板本体１３Ａが介在されているので、従来のよ
うにサブ基板５が前方に傾くことがない。
【００２７】
上記構成によれば、各連結板１３のＩ字部１３Ｃをメイン基板６の各係合孔１２に嵌入
させ、該各連結板１３をＲＣＡジャック４に向けてスライドさせるだけで、その各連結板
１３のＴ字部１３Ｂをサブ基板５の凹溝１１に嵌入させて、サブ基板５を補強することが
でき、これに加えて、各Ｉ字部１３Ｃをメイン基板６に半田付け８することにより、サブ
基板５を一層強固に補強することができる。
【００２８】
従って、プラグ９の抜き差しによって生じた引張力Ｆ１及び押込力Ｆ２で従来のように
サブ基板５が傾いてジャック本体４Ａの固定が弛んだりサブ基板５の下部５ａの半田付け
８が剥離されて断線することがなく、ジャック本体４Ａをサブ基板５に長期にわたって確
実に固定することができる。
【００２９】
また、図１（ｂ）に仮想線で示すように、連結板１３がメイン基板６から切り離される
捨て基板により形成されているから、構造簡単で製作費が安くつく。
【００３０】
要するに、ＲＣＡジャック４を強固に補強した使い勝手の良い液晶テレビなどの薄型表
示装置１を提供することができる（図７参照）。
【００３１】
図４及び図５は本発明の第２の実施の形態であるジャック補強装置を示すものであって
、図４（ａ）は同一部切欠き側面図、図４（ｂ）は同平面図、図４（ｃ）は同正面図、図
５は同分解斜視図である。
【００３２】
図４及び図５に示すように、各連結板１３のＩ字部１３Ｃの両側縁先端から側方に延び
る一対のフック部１６が一体突設され、メイン基板６の各係合孔１２が、Ｉ字部１３Ｃの
幅ｔ３と同一またはわずかに大きい横幅ｄ２の縦孔部１２ａと（ｔ３≦ｄ２）、該縦孔部
１２ａの外側端縁に一体形成されて両フック部１６間の幅ｔ５と同一またはわずかに大き
い横幅ｄ３の横孔部１２ｂとにより（ｔ５≦ｄ３）、平面視略Ｔ字状に形成されている。
上記以外の構成は第１の実施の形態（図１〜図３参照）とほぼ同じであるから、同一部分
に同一符号を付してその説明を省略する。
【００３３】
組立手順を説明すると、図４（ｂ）及び（ｃ）に仮想線で示すように、各連結板１３の
フック部１６を横孔部１２ｂに嵌入させ、該各連結板１３をＲＣＡジャック４に向けてス
ライドさせて、その各連結板１３のＩ字部１３Ｃを縦孔部１２ａに嵌入させることにより
、Ｔ字部１３Ｂを凹溝１１に嵌入させると共に、両フック部１６をメイン基板６の裏面に
係合させ〔図４（ａ）（ｂ）実線参照〕、各Ｉ字部１３Ｃをメイン基板６に半田付け８す
る。
【００３４】
上記構成によれば、各連結板１３のＩ字部１３Ｃに一体突設した両フック部１６をメイ
ン基板６の裏面に係合させているので、プラグ９の抜き差しにより生じた引張力Ｆ１及び
押込力Ｆ２でサブ基板５が前後に傾かないように確実に補強することができ、これに加え
て、各Ｉ字部１３Ｃをメイン基板６に半田付け８することにより、サブ基板５を一層強固
に補強することができる。
【００３５】
上記各実施の形態では、メイン基板６に固定した１本のＲＣＡジャック４を補強する場
合を例にあげて説明したが、これに限定されるわけはなく、図６に示すように、３本のＲ
ＣＡジャック４を補強する場合にも適用することができる（第３の実施の形態）。
【００３６】
また、ＲＣＡジャック４以外の例えばイヤージャックなどの各種ジャックの補強にも適
用することができる。
【図面の簡単な説明】
【００３７】
【図１】（ａ）は本発明の第１の実施の形態であるジャック補強装置を示す一部切欠き側面図、（ｂ）は同平面図、（ｃ）は同正面図である。
【図２】同斜視図である。
【図３】同分解斜視図である。
【図４】（ａ）は本発明の第２の実施の形態であるジャック補強装置を示す一部切欠き側面図、（ｂ）は同平面図、（ｃ）は同正面図である。
【図５】同分解斜視図である。
【図６】本発明の第３の実施の形態であるジャック補強装置を示す正面図である。
【図７】ジャックを備えた薄型表示装置の裏面側斜視図である。
【図８】（ａ）は従来例を示す一部切欠き側面図、（ｂ）は同平面図、（ｃ）は同正面図である。
【図９】同分解斜視図である。
【符号の説明】
【００３８】
１          薄型表示装置
４          ＲＣＡジャック
４Ａ        ジャック本体
４Ｂ        ジャック軸
５          サブ基板
６          メイン基板
７          スリット
９          プラグ
１１        凹溝
１２        係合孔
１２ａ      縦孔部
１２ｂ      横孔部
１３        連結板
１３Ａ      連結板本体
１３Ｂ      Ｔ字部
１３Ｃ      Ｉ字部
１６        フック部
【図１】
2008282563.tif 000003
【図２】
2008282563.tif 000004
【図３】
2008282563.tif 000005
【図４】
2008282563.tif 000006
【図５】
2008282563.tif 000007
【図６】
2008282563.tif 000008
【図７】
2008282563.tif 000009
【図８】
2008282563.tif 000010
【図９】
2008282563.tif 000011